【手続補正書】
【提出日】平成29年6月26日(2017.6.26)
【手続補正１】
【補正対象書類名】明細書
【補正対象項目名】００６９
【補正方法】変更
【補正の内容】
【００６９】
本開示の様々な実施形態及び実装が開示される。開示された実施形態は例証するために提示されるもので、制限するためのものではない。上記の実施形態及び他の実施形態は以下の「特許請求の範囲」の範囲内である。本開示が、開示されたもの以外の実施形態及び実施により実行され得ることは、当業者には理解されよう。上記の実施形態及び実施の詳細には、本発明の基礎をなす原理から逸脱することなく多くの変更を加えることができる点は当業者に認識されるであろう。本発明は、本明細書に記載した例示的な実施形態及び実施例によって過度に限定されるものではなく、またかかる実施例及び実施形態は、一例として表されているだけであり、ただし、本発明の範囲は、以下のように本明細書に記載した請求項によってのみ限定されることを意図するものと理解されるべきである。更に、本開示に対する様々な改変及び変形が、本開示の趣旨及び範囲から逸脱することなく当業者にとって明らかとなろう。したがって、本出願の範囲は以下の「特許請求の範囲」によってのみ定められるべきものである。本発明の実施態様の一部を以下の項目［１］−［４２］に記載する。
［項目１］
再帰反射性シート材であって、
複数のプリズム状キューブコーナー素子によって付与される構造を有する構造化面である、第１主表面と、
前記第１主表面の反対側の第２主表面であって、実質的に平面であり、ポリカーボネートを含む、第２主表面と、
前記第２主表面の少なくとも一部に隣接するトップコートであって、溶媒系組成物を含み、３重量％〜約１０重量％のＵＶ吸収剤を含む、トップコートと、を含む、再帰反射性シート材。
［項目２］
前記トップコートが、乾燥時に０．５ミル（１３マイクロメートル）未満の厚さを有する、項目１に記載の再帰反射性シート材。
［項目３］
前記複数のプリズム状キューブコーナー素子が、切頂型キューブコーナー素子、フルキューブコーナー素子、又は好適幾何形状型キューブコーナー素子のうち少なくとも１つを含む、項目１又は２に記載の再帰反射性シート材。
［項目４］
前記第２主表面が、（１）ランド層又は（２）本体層のうち少なくとも１つの一部である、項目１〜３のいずれか一項に記載の再帰反射性シート材。
［項目５］
前記複数のプリズム状キューブコーナー素子が熱可塑性ポリマーを含む、項目１〜４のいずれか一項に記載の再帰反射性シート材。
［項目６］
前記熱可塑性ポリマーが、アクリルポリマー、ポリカーボネート、ポリエステル、ポリイミド、フルオロポリマー、ポリアミド、ポリエーテルケトン；ポリ（エーテルイミド）；ポリオレフィン；ポリ（フェニレンエーテル）；ポリ（スチレン）；スチレンコポリマー；シリコーン修飾ポリマー；セルロース系ポリマー；フッ素修飾ポリマー；及び上記ポリマーの混合物のうちの少なくとも１つである、項目５に記載の再帰反射性シート材。
［項目７］
前記複数のプリズム状キューブコーナー素子がポリカーボネートを含む、項目１〜６のいずれか一項に記載の再帰反射性シート材。
［項目８］
前記トップコートが複数の層を含み、前記層が互いに同じである、項目１〜７のいずれか一項に記載の再帰反射性シート材。
［項目９］
前記トップコートが複数の層を含み、前記層が互いに異なる、項目１〜８のいずれか一項に記載の再帰反射性シート材。
［項目１０］
前記トップコートが、メチルメタクリレート樹脂、アクリル樹脂、アルキド樹脂、ポリウレタン樹脂、エポキシ樹脂、ポリエステル樹脂、ポリカーボネート樹脂、ポリビニルブチラール、酢酸酪酸セルロース、又は塩化ビニルコポリマーのうち少なくとも１つを含む、項目１〜９のいずれか一項に記載の再帰反射性シート材。
［項目１１］
シールフィルムを更に含む、項目１〜１０のいずれか一項に記載の再帰反射性シート材。
［項目１２］
前記シールフィルムがポリエステルである、項目１１に記載の再帰反射性シート材。
［項目１３］
ひび割れ又は曇りのうち１つ又は２つ以上の量が、再帰反射性輝度を９０％未満に減少する、項目１〜１２のいずれか一項に記載の再帰反射性シート材。
［項目１４］
前記トップコートがビニル又はアクリルのうち少なくとも１つを含む、項目１〜１３のいずれか一項に記載の再帰反射性シート材。
［項目１５］
鏡面反射性コーティングを更に含む、項目１〜１４のいずれか一項に記載の再帰反射性シート材。
［項目１６］
再帰反射性シート材の製造方法であって、
（１）複数のプリズム状キューブコーナー素子によって付与される構造を有する構造化面である第１主表面と、（２）前記第１主表面の反対側の第２主表面であって、実質的に平面であり、ポリカーボネートを含む第２主表面と、を有するシート材を準備することと、
トップコート組成物を、前記第２主表面の少なくとも一部に隣接して配置することであって、前記トップコートが溶媒系である、配置することと、を含む、方法。
［項目１７］
前記トップコートが、０．５ミル（１３マイクロメートル）未満の厚さ（乾燥時）である、項目１６に記載の方法。
［項目１８］
前記トップコート組成物から溶媒を除去することを更に含む、項目１６又は１７に記載の方法。
［項目１９］
前記トップコート組成物を前記第２主表面に隣接して配置後１５秒以内に、前記トップコート組成物から実質的に全ての溶媒を除去することを更に含む、項目１８に記載の方法。
［項目２０］
前記トップコート組成物を前記第２主表面に隣接して配置後１２秒以内に、前記トップコート組成物から実質的に全ての溶媒を除去することを更に含む、項目１８に記載の方法。
［項目２１］
前記トップコート組成物を前記第２主表面に隣接して配置後１０秒以内に、前記トップコート組成物から実質的に全ての溶媒を除去することを更に含む、項目１８に記載の方法。
［項目２２］
前記トップコート組成物を前記第２主表面に隣接して配置後８秒以内に、前記トップコート組成物から実質的に全ての溶媒を除去することを更に含む、項目１８に記載の方法。
［項目２３］
前記トップコート組成物を前記第２主表面に隣接して配置後５秒以内に、前記トップコート組成物から実質的に全ての溶媒を除去することを更に含む、項目１８に記載の方法。
［項目２４］
前記複数のプリズム状キューブコーナー素子が、切頂型キューブコーナー素子、フルキューブコーナー素子、又は好適幾何形状型キューブコーナー素子のうち少なくとも１つを含む、項目１６〜２３のいずれか一項に記載の方法。
［項目２５］
前記第２主表面が、（１）ランド層又は（２）本体層のうち少なくとも１つの一部である、項目１６〜２４のいずれか一項に記載の方法。
［項目２６］
前記複数のプリズム状キューブコーナー素子がポリカーボネートを含む、項目１６〜２５のいずれか一項に記載の方法。
［項目２７］
前記トップコートが複数の層を含み、前記層が互いに同じである、項目１６〜２６のいずれか一項に記載の方法。
［項目２８］
前記トップコートが複数の層を含み、前記層が互いに異なる、項目１６〜２７のいずれか一項に記載の方法。
［項目２９］
前記トップコートがＵＶ吸収剤を含む、項目１６〜２８のいずれか一項に記載の方法。
［項目３０］
前記トップコートが、メチルメタクリレート樹脂、アクリル樹脂、アルキド樹脂、ポリウレタン樹脂、エポキシ樹脂、ポリエステル樹脂、ポリカーボネート樹脂、ポリビニルブチラール、酢酸酪酸セルロース、又は塩化ビニルコポリマーのうち少なくとも１つを含む、項目１６〜２９のいずれか一項に記載の方法。
［項目３１］
前記トップコートが、０．４ミル（１０マイクロメートル）未満の厚さを有する、項目１６〜３０のいずれか一項に記載の方法。
［項目３２］
前記トップコートが、０．３ミル（８マイクロメートル）未満の厚さを有する、項目１６〜３１のいずれか一項に記載の方法。
［項目３３］
前記トップコートが、０．２５ミル（６マイクロメートル）未満の厚さを有する、項目１６〜３２のいずれか一項に記載の方法。
［項目３４］
前記トップコートが、０．２ミル（５マイクロメートル）未満の厚さを有する、項目１６〜３３のいずれか一項に記載の方法。
［項目３５］
前記トップコートが、０．１ミル（３マイクロメートル）未満の厚さを有する、項目１６〜３４のいずれか一項に記載の方法。
［項目３６］
シールフィルムを前記構造化面に隣接して配置することを更に含む、項目１６〜３５のいずれか一項に記載の方法。
［項目３７］
前記シールフィルムがポリエステルである、項目３６に記載の方法。
［項目３８］
ひび割れ又は曇りのうち１つ又は２つ以上の量が、再帰反射性輝度を９０％未満に減少する、項目１６〜３７のいずれか一項に記載の方法。
［項目３９］
前記トップコートがビニル又はアクリルのうち少なくとも１つを含む、項目１６〜３８のいずれか一項に記載の方法。
［項目４０］
前記再帰反射性シート材が鏡面反射性コーティングを更に含む、項目１６〜３９のいずれか一項に記載の再帰反射性シート材。
［項目４１］
前記トップコートがＵＶ吸収剤を含む、項目１６〜４０のいずれか一項に記載の方法。
［項目４２］
前記トップコートが少なくとも１０重量％のＵＶ吸収剤を含む、項目１６〜４１のいずれか一項に記載の方法。
【手続補正２】
【補正対象書類名】特許請求の範囲
【補正対象項目名】全文
【補正方法】変更
【補正の内容】
【特許請求の範囲】
【請求項１】
再帰反射性シート材であって、
複数のプリズム状キューブコーナー素子によって付与される構造を有する構造化面である、第１主表面と、
前記第１主表面の反対側の第２主表面であって、実質的に平面であり、ポリカーボネートを含む、第２主表面と、
前記第２主表面の少なくとも一部に隣接するトップコートであって、溶媒系組成物を含み、３重量％〜約１０重量％のＵＶ吸収剤を含む、トップコートと、を含む、再帰反射性シート材。
【請求項２】
前記トップコートが、乾燥時に０．５ミル未満の厚さを有する、請求項１に記載の再帰反射性シート材。
【請求項３】
前記トップコートが複数の層を含み、前記層が互いに同じである、請求項１に記載の再帰反射性シート材。
【請求項４】
前記トップコートが複数の層を含み、前記層が互いに異なる、請求項１に記載の再帰反射性シート材。
【請求項５】
前記トップコートが、メチルメタクリレート樹脂、アクリル樹脂、アルキド樹脂、ポリウレタン樹脂、エポキシ樹脂、ポリエステル樹脂、ポリカーボネート樹脂、ポリビニルブチラール、酢酸酪酸セルロース、又は塩化ビニルコポリマーのうち少なくとも１つを含む、請求項１に記載の再帰反射性シート材。
【請求項６】
再帰反射性シート材の製造方法であって、
（１）複数のプリズム状キューブコーナー素子によって付与される構造を有する構造化面である第１主表面と、（２）前記第１主表面の反対側の第２主表面であって、実質的に平面であり、ポリカーボネートを含む第２主表面と、を有するシート材を準備することと、
トップコート組成物を、前記第２主表面の少なくとも一部に隣接して配置することであって、前記トップコートが溶媒系である、配置することと、を含む、方法。
【請求項７】
前記トップコート組成物から溶媒を除去することを更に含む、請求項６に記載の方法。
【請求項８】
前記トップコート組成物を前記第２主表面に隣接して配置後１５秒以内に、前記トップコート組成物から実質的に全ての溶媒を除去することを更に含む、請求項６に記載の方法。